(57)【特許請求の範囲】
【請求項１】
天面板部と底面板部と正面板部と背面板部と左右の側面板部との六面の板部で囲まれた収納空間を有する箱体の前記収納空間に、菓子類などの小物品が入れられた略扁平な複数の小物品入り小袋を並べ入れて収納する紙製の包装容器であって、
前記収納空間内に、前記正面板部側に傾けることが可能な仕切り板を有し、
前記正面板部と前記仕切り板との間に正面板部側から順に前記複数の小物品入り小袋が並び入れられて、前記仕切り板により収納空間が前記複数の小物品入り小袋が位置する正面板部側の小袋収納領域と背面板部側の小袋クズ収納領域とに仕切られ、
前記天面板部の正面板部側または底面板部の正面板部側に、前記収納空間の小袋収納領域から前記小袋が引き抜き可能な取り出し口部を設け、前記天面板部の背面板部側または底面板部の背面板部側に、前記収納空間の小袋クズ収納領域に臨む開口を閉鎖板で開閉可能に覆ってなる差し込み口部を設け、
前記背面板部に、前記仕切り板に向けて倒し込み可能な押し付け片を設けて、
倒し込んだ前記押し付け片側からの前記仕切り板に対する正面板部側に向けた押し込みにより、前記仕切り板と小袋収納領域の小物品入り小袋を正面板部側に押し付け、最前位に位置する小物品入り小袋が前記取り出し口部に対応する構成を有することを特徴とする紙製包装容器。
【請求項２】
上記仕切り板は可撓性を有するものである請求項１に記載の紙製包装容器。
【請求項３】
上記取り出し口部には、正面板部の中央に向けて凸となって指先が差し入れ可能な開口部分が連続している請求項１または２に記載の紙製包装容器。
【請求項４】
上記取り出し口部は、取り外し可能な閉鎖部材で閉じられている請求項１から３の何れか一項に記載の紙製包装容器。
【発明の詳細な説明】
【技術分野】
【０００１】
本発明は、  本発明は少量の菓子類などの小物品が入れられた複数の小袋を収納した紙製包装容器に関するものである。
【背景技術】
【０００２】
近年、チョコレートなどの菓子商品において、特許文献１に示されているように菓子を複数の小袋に小分けし、この複数の小袋をまとめて紙製の包装容器に入れた商品形態とすることが多くなってきていて、一回の食べ切りの量ごとに小袋に収容して食べ易くし、そして、小袋ごとに開封して食することになるため、外箱となる部分を開いた後でも菓子を衛生的に収納しておくことができる利点がある。
また、粒ガムのようにより小さい菓子などにおいては個々に包み紙で包装し、これを外容器に収納した形態の商品もあり、特許文献２に示されているように菓子を食した後に不要となる包み紙を収容する部分を、外箱自体に設けるという工夫も提案されている。
【特許文献１】特開平０８−０１１８６９号公報
【特許文献２】特開２００６−３１５７３０号公報
【発明の開示】
【発明が解決しようとする課題】
【０００３】
ところで、上述した小物品入りの小袋を複数収納してなる紙製包装容器では購入者が小袋を取り出すときに、上記特許文献１にも示されているように取り出し口部分が広く開放されるようにしている。しかし、取り出し口部分を開口した包装容器をそのままカバンやハンドバッグなどに入れて持ち歩くような取り扱いを行なうと、外箱内部での並びが大きく崩れて、小袋を外箱内に安定して収納しておくことができず、小袋の取り出しも生じてしまう。また、取り出し口部分を開閉可能に覆う蓋体にロック機構などを設けて再閉する構造とすることも行なわれているが、小袋の取り出しが容易な並びを維持させておくことができない。
これに加えて、小物品を取り出した小袋は小袋クズとなるが、包装容器にはこれらを収容する部分はなく、その都度ごみ箱を探して廃棄するか、カバンやハンドバッグなどに仕舞い込んでいるのが現状であった。そのため、小袋を安定的に収納し、さらに、食することに生じる小袋クズをこの包装容器自体でまとめて取り扱えるようにすることが望まれるようになった。
【０００４】
そこで本発明は上記事情に鑑み、複数の小物品入り小袋を必要時に取り出すことができて安定的に収納する包装容器によって、小袋クズなども内部に収納できようにすることを課題とし、小物品入り小袋を収納した包装容器を有用に利用できるようにすることを目的とする。
【課題を解決するための手段】
【０００５】
本発明は上記課題を考慮してなされたもので、請求項１の発明は、天面板部と底面板部と正面板部と背面板部と左右の側面板部との六面の板部で囲まれた収納空間を有する箱体の前記収納空間に、菓子類などの小物品が入れられた略扁平な複数の小物品入り小袋を並べ入れて収納する紙製の包装容器であって、前記収納空間内に、前記正面板部側に傾けることが可能な仕切り板を有し、前記正面板部と前記仕切り板との間に正面板部側から順に前記複数の小物品入り小袋が並び入れられて、前記仕切り板により収納空間が前記複数の小物品入り小袋が位置する正面板部側の小袋収納領域と背面板部側の小袋クズ収納領域とに仕切られ、前記天面板部の正面板部側または底面板部の正面板部側に、前記収納空間の小袋収納領域から前記小袋が引き抜き可能な取り出し口部を設け、前記天面板部の背面板部側または底面板部の背面板部側に、前記収納空間の小袋クズ収納領域に臨む開口を閉鎖板で開閉可能に覆ってなる差し込み口部を設け、前記背面板部に、前記仕切り板に向けて倒し込み可能な押し付け片を設けて、倒し込んだ前記押し付け片側からの前記仕切り板に対する正面板部側に向けた押し込みにより、前記仕切り板と小袋収納領域の小物品入り小袋を正面板部側に押し付け、最前位に位置する小物品入り小袋が前記取り出し口部に対応する構成を有することを特徴とする紙製包装容器であり、この紙製包装容器を提供して上記課題を解消するものである。
【０００６】
請求項２の発明によれば、上記仕切り板は可撓性を有するものであることが良好である。
また、請求項３の発明によれば、上記取り出し口部には、正面板部の中央に向けて凸となって指先が差し入れ可能な開口部分が連続しているものとすることが良好である。
また、請求項４の発明によれば、上記取り出し口部は、取り外し可能な閉鎖部材で閉じられているものとすることが良好である。
【発明の効果】
【０００７】
請求項１の発明によれば、押し付け片を倒し込んで小袋収納領域の小物品入り小袋を正面板部側に押し付け、最前位に位置する小物品入り小袋が前記取り出し口部に対応する構成を備えているので、小物品入り小袋の取り出しが頗る簡単になる。また、背面板側領域に対応した差し込み口部が設けられて、小袋クズをその差し込み口部から収納空間の小袋クズ収納領域に挿入することで、小袋クズの散逸を無くしてまとめて処理をすることができる。また、仕切り板で小袋収納領域と小袋クズ収納領域とを仕切っているので、小物品入り小袋と小袋クズとが混ざり合うのを防止できる。
【０００８】
請求項２の発明によれば、箱体に対する外力などによって小袋収納領域にある小物品入り小袋が背面板側に移動するような衝撃が加わっても仕切り板の撓みによってその衝撃が吸収され、小袋内の小物品を破損させないようにすることができる。
請求項３の発明によれば、小袋収納領域での最前位に位置する小物品入り小袋の表出する部分が広くなり、より確実に小物品入り小袋を取り出すことができる。
請求項４の発明によれば、商品として陳列しているときに異物が箱体の内部に入るのを防止することができるとともに、その陳列状態で小物品入り小袋を抜くようないたずらを抑止することができる。
【発明を実施するための最良の形態】
【０００９】
つぎに本発明を図１から図１０に示す実施の形態に基づいて詳細に説明する。
図中１は紙製包装容器で、図１から図４に示すようにこの紙製包装容器１は天面板部２と底面板部３と正面板部４と背面板部５と左右の側面板部６との六面の板部でブロック状にした箱体７からなり、その箱体７の六面の板部で囲まれた収納空間８に仕切り板９を有している。そして、前記収納空間８に菓子類などの小物品が入れられた略扁平な複数の小物品入り小袋１０を並べ入れて収納している。
箱体７は図６に示す一枚のブランクから製函されていて、一方の側面板部６と正面板部４と他方の側面板部６と背面板部５と糊代片１１とが折り罫を介して順に連接され、前記糊代片１１を一方の側面板部６に貼り付ける胴貼りをすることで箱体７の胴部が形成されている。
【００１０】
天面板部２にあっては、側面板部６それぞれの上端に折り罫を介して連接されたフラップ１２を箱体内方に折り倒すとともに、背面板部５の上端に折り罫を介して連接された内天面板１３を折り倒して前記フラップ１２に折り重ね、さらに正面板部４の上端に折り罫を介して連接された外天面板１４を前記内天面板１３に折り重ねて貼り付けることで構成されている。
底面板部３にあっては、側面板部６それぞれの下端に折り罫を介して連接されたフラップ１５を箱体内方に折り倒すとともに、背面板部５の下端に折り罫を介して連接された内底面板１６を折り倒して前記フラップ１５に折り重ね、さらに正面板部４の下端に折り罫を介して連接された外底面板１７を前記内底面板１６に折り重ねて貼り付けることで構成されている。
【００１１】
ブランクの形態で示されているように、内底面板１６における上記背面板部５とは反対側となる辺に折り罫を介して仕切り板９が連接され、図４、図５に示すように底面板部３の容器前後方向での略中央となる位置でこの仕切り板９が折り起こされて箱体７の収納空間８内で立ち上げられている。前記仕切り板９は内底面板１６側が底面板部３の上記フラップ１５との干渉を避けるために細幅部１８とされ、この細幅部１８に広幅部１９が連続している。
広幅部１９の幅寸法は正面板部４や背面板部５の幅寸法よりは小さく、仕切り板９の高さ寸法も上記天面板部２に当接しないように設定されている。そのため、仕切り板９は底面板部３側の折り罫位置を中心として収納空間８内で正面板部４と背面板部５との対向方向、即ち、前後方向に傾けることができるものとなる。
また、細幅部１８と広幅部１９からなる仕切り板９は全体として可撓性を有している。さらに、細幅部１８と広幅部１９とは、収納空間８に並び入れられた小物品入り小袋１０を受け止めるに十分な幅寸法を有しており、この仕切り板９は撓みながらも全体で前記小物品入り小袋１０を受け止めて支持でき、小物品入り小袋１０を後方へそらすことがないように設けられている。
【００１２】
このように底面板部３を構成している一つの内底面板１６に連接した仕切り板９が収納空間８に位置していて、この仕切り板９によって収納空間８が前後に仕切られている。図４に示すように、正面板部４と仕切り板９との間を小袋収納領域２０としていて、正面板部４側から順に複数の小物品入り小袋１０が並び入れられ、また、仕切り板９と背面板部５との間を小袋クズ収納領域２１としていて、この小袋クズ収納領域２１は後述するように、小物品入り小袋１０から小物品を抜き取った小袋クズが収納される領域である。
仕切り板９は上述したように折り罫を介して内底面板１６に連接されているとともに可撓性を有していることから、流通時や陳列販売時において小袋収納領域２０に複数の小物品入り小袋１０が並べ入れられている状態では、内底面板１６側の折り罫の位置（底面板部３の容器前後方向での略中央となる位置）で背面板部５側に向けて折り返されてから上方に向けて湾曲して立ち上がる形状となって、定められた数量の小物品入り小袋１０を後方側から支えている。
流通時や陳列販売時では図４に示されているように、小袋クズ収納領域２１に若干の空間が形成されている。そして、この流通時や陳列販売時の取り扱いなどによって小袋収納領域２０に位置している複数の小物品入り小袋１０を背面板部５側に移動させるような衝撃が加わる可能性もあるが、その衝撃が加わったときに上記仕切り板９がさらに湾曲して、背面板部５側への僅かな移動を許容しながらその衝撃を吸収するようになり、小袋それぞれが収納している小物品の割れや折れ、欠けなどの破損が生じないように、小物品入り小袋１０内の小物品を保護している。
【００１３】
上記天面板部２の正面板部４側に、上記小袋収納領域２０に臨む取り出し口部２２が設けられている（図１）。この取り出し口部２２は小袋収納領域２０において正面板部４側の最前位に位置している小物品入り小袋１０をつまみ出すための部分であり、天面板部２と正面板部４との間の折り罫に沿った方向、即ち、天面板部２の幅方向の開口幅が小物品入り小袋１０の幅寸法より狭く、かつ、小物品入り小袋１０を引き出すときにその小袋の辺部などが若干変形した状態で引き出せる幅寸法としている。
また、取り出し口部２２に指先を差し入れ易くするために、上天面板中央側の辺がその上天面板の中心に向けて山形状に切り欠くようにして広げられている。さらに正面板部４側にも広げられていて、正面板部４の中央に向けて凸となって指先が差し入れ可能な開口部分２３が連続している。この開口部分２３では天面板部２側が広幅とされて正面板部４の中央に向けて徐々に狭くなる略三角の形状であり、最前位に位置した小物品入り小袋１０を取り出すときに指先が小袋表面により一層広く触れるようにしている。
【００１４】
上記取り出し口部２２は、流通時や店頭陳列時に外部から異物などが入らないように、また、陳列時に小物品入り小袋１０が不正に抜き取られないようにするために、閉鎖部材２４で閉じられている。この閉鎖部材２４は切り取りミシン目などからなる切取部２５を介して箱体に連接していて、この紙製包装容器からなる商品の購入者が切取部２５を破断することで閉鎖部材２４を取り除くことができる。
なお、上記内天面板１３は取り出し口部２２を塞ぐことのない形状に設定されている。
【００１５】
上記小袋収納領域２０には予め定められた複数の小物品入り小袋１０が収納されていて、取り出し口部２２を開くために上記閉鎖部材２４を取り除いたとき、取り出し口部２２には最前位の小物品入り小袋１０が対応位置している（図３）。そして、小物品入り小袋１０を取り出すに従って、仮に小袋収納領域内で残りの小物品入り小袋１０が後方に倒れ込むようになると、最前位となっている小物品入り小袋１０は取り出し口部２２に対応位置し無くなる可能性があるが、本発明の紙製包装容器１ではこのような場合でも、最前位の小物品入り小袋１０を取り出し口部２２に簡単に対応位置させる工夫を有している。
【００１６】
その工夫を説明すると、図２に示すように背面板部５には押し付け片２７が設けられていて、押し付け片２７は、箱体７の内部の仕切り板９に対応する位置であって、上方の辺（天面板部側）及び左右側方の辺（側面板部側）を切り取りミシン目などの切取部２５とし下辺を折り部２６として、これら切取部２５と折り部２６とで囲んでなる部分から形成されている。
この押し付け片２７は、正面板部４側に向けて押すことで切取部２５が破断し折り部２６の位置で折曲するものであり、仕切り板９に向けて倒し込み可能に設けられているものである。そして、必要時に、倒し込んだ前記押し付け片２７側からの仕切り板９に対する正面板部４側に向けた押し込みが行なわれると、仕切り板９と小袋収納領域２０の小物品入り小袋１０とが正面板部４側に押し付けられるように移動することとなり、小袋収納領域２０において最前位に位置する小物品入り小袋１０が正面板部４の内面に接し、そして、取り出し口部２２に対応する（図７）。このように取り出し口部２２に小物品入り小袋１０が対応位置すれば、簡単にその最前位の小物品入り小袋１０を引き出すことができ、その都度、押し付け片２７の倒し込みにより正面板部４側に向けた押し付けを行なうようにすればよい。仕切り板９が背部から小物品入り小袋１０を正面板部４側に向けて押し付ける状態となるため、押し付け片２７自体の幅寸法を大きくする必要はない。
【００１７】
さらに本発明の紙製包装容器１では小物品（菓子）を取り出した後に廃棄物となる小袋クズを箱体７の内部に入れることができるように設けられていて、その都度、ごみ箱を探す手間を省いている。
図３に示すように底面板部３における上記内底板１６の背面板部５側は、外底面板１７に覆われることなく外部に直接表出していて、この表出している箇所に差し込み口部２８が設けられている。差し込み口部２８は、小袋クズ収納領域２１に臨む開口２９を閉鎖板３０で開閉可能に覆ってなるものであり、閉鎖板３０を小袋クズ収納領域２１に向けて押し込むようにしながら小袋クズ３１を小袋クズ収納領域２１に入れることができるようにしている（図７参照）。
【００１８】
差し込み口部２８も流通時や店舗陳列時に不用意に開かないように設けられていて、この閉鎖板３０を、内底面板１６の略中央でこの内底面板１６の幅方向に位置する折り部３２と、内底面板１６の幅方向に対向して前記折り部３２に連続する切り取りミシン目を背面板部５との間の折り罫位置に沿わせ、さらにその折り罫位置の中央部分で背面板部５側に円弧状に湾曲した形状にしてなる切取部３３とによって囲まれていて（図６）、前記切取部３３を破断しない限り、閉鎖板３０が内底面板１６と背面板部５とに連続している。そして、必要時に切取部３３を破断し、折り部３２の位置から折り込むように押せば開口２９が開き、閉鎖板３０で開閉可能に覆われるものとなる。
差し込み口部２８に上述したように小袋クズ３１を差し込んで小袋クズ収納領域２１に入れた後は、閉鎖板３０が折り部３２の部分で生じている復元力により閉じた状態となる。このように差し込み口部２８は開口２９を閉鎖板３０で開閉可能に覆ってなるため、小袋クズ収納領域２１に入れられた小袋クズ３１は差し込み口部２８から抜け出ることはない。
小物品である菓子などを食するごとに生じる小袋クズ３１をこのようにして小袋クズ収納領域２１にその都度入れるようにすれば、小袋クズ３１が散逸することがなく、本紙製包装容器全体を破棄するときにまとめて処分することができる。
【００１９】
また、次々に複数の小袋クズ３１を小袋クズ収納領域２１に入れていけば小袋クズ収納領域２１に収納される小袋クズ３１が多くなるが、小袋収納領域２０から小物品入り小袋１０が抜き取られていることから、仕切り板９自体は正面板部４側に移動して小袋クズ収納領域２１が拡張可能な状態となっており、小袋クズ３１を差し込み口部２８から押し込むように差し入れれば、仕切り板９の前方への移動でその小袋クズ収納領域２１が広がって小袋クズ３１を収納することができるとともに、小袋収納領域２０の小物品入り小袋１０をある程度正面板部４側に移動させるようになり、最前位の小物品入り小袋１０を取り出し口部２２により一層対応させ易くしている。
勿論、上記押し付け片２７を倒し込みすれば、先に収納されていた小袋クズ３１とともに仕切り板９がを前方（正面板部４側）に押し込まれ、小袋クズ収納領域３１が充分に広くなって、さらに小袋クズ３１を入れることができる。
【００２０】
上記実施の例において仕切り板９を底面板部３に連接しているものとしたが、本発明はこの例に限定されるものではなく、仕切り板９が箱体７の収納空間８を正面板部４側の小袋収納領域２０と小袋クズ収納領域２１とに仕切り、可撓性を有しながら押し付け片２７の倒し込みによる押し込みで正面板部４側に傾きながら小物品入り小袋１０を移動させるものであれば、底面板部３以外の他の板部に連接されていてもよい。
【００２１】
図８と図９は他の一例である紙製包装容器１とその箱体７をブランクの状態で示している。上記の例での背面板部５の一辺には貼着片が連接されていたが、この貼着片に代えて仕切り片形成板３４が連接され、この仕切り片形成板３４が箱体７の内部に折り込まれれている。図８と図９とに示すように仕切り片形成板３４は、両側の貼着部３５とその貼着板３５の間の仕切り部３６とが連接していて、貼着部３５と仕切り部３６との間の折り部の位置で折った略コ字状（天面板部側から見た上面視での形状）にして箱体７の内部に配し、前記貼着部３５それぞれが側面板部６に貼り合わされ、前記仕切り部３６が正面板部４と背面板部５とに相対している。
そして仕切り部３６は図示されているように底面板部３側となる下辺側の領域を支持板３７とし、この支持板３７に折り部３８を介して仕切り片９が連接され、さらにこの仕切り片９の両側は上記貼着部３５それぞれに切取部３９を介して分離可能に連接されている（図９参照）。
【００２２】
このように仕切り片形成板３４での上記仕切り片９は両貼着部３５側の切取部３９と下辺側の折り部３８とで囲まれているものであり、上記実施の例と同じように底面板部３の容器前後方向での略中央であって、さらにその底面板部３から少し上方とした高さ位置（支持板３７の高さ分）を基端として仕切り片９を配置させている。前記切取部３９自体は例えば長いスリット部分（カット部）と短かい連続部分（タイ部）との組み合せて容易に切断できるように設けられていて、本容器の製造途中の工程などで未閉鎖状態の天面板部側から所定数の小物品入り小袋１０を差し入れるようにすることで前記切取部３９が容易に切断し、これによって仕切り片９が折り部３８から背面板部５側に撓むようにしながら傾けられることができるようにしている。図８では小物品入り小袋を図示していないが、この所定数の小物品入り小袋を小袋収納領域に配置することで仕切り片９が撓んだ状態が表現されている。
仕切り片９を設ける部分での構造が上記実施の例と異なっているが、他の部分については上記実施の例と同じに構成されており、上記実施の例と同じように背面板部５の押し付け片２７の操作によって小袋収納領域２０の小物品入り小袋を正面板部４側に向けて案内できるようにしている。
【００２３】
図１０はさらに他の例を示していて、第一の例で示された箱体７における糊代片１１に折り罫を介して仕切り片９を連続させることで一方の側面板部６に連接させたもので、仕切り片９を片持ち状態にして小袋収納領域２０側に所定数の小物品入り小袋が収納されているときには糊代片１１側の部分で撓みながら背面板部５側に位置しつつ、この仕切り片９にて前記小袋収納領域２０と小袋クズ収納領域とを仕切り、そして、押し付け片２７による押し込みによってこの仕切り片９が正面板部４側に傾くことができるように設けられていて、上述した例と同じように最前位にある小物品入り小袋を取り出し口部２２に対応位置させることができるものである。この場合、仕切り板９の下端部が、小袋クズ収納領域２１に臨む差し込み口部２８の閉鎖板３０の開閉動作に干渉しないように、その下端部の高さ位置を底面板部３から少し離れた上位置にすればよい。なお、図１０では小物品入り小袋を図示していないが、この所定数の小物品入り小袋を小袋収納領域に配置することで仕切り片９が撓んだ状態が表現されている。
【００２４】
上記各実施の例では取り出し口部２２を天面板部２の正面板部４側に設けたが、底面板部３の正面板部４側に設けるようにすることも可能である。また、上記各実施の例では差し込み口部２８を底面板部３の背面板部５側に設けたが、天面板部２の背面板部５側に設けるようにすることも可能である。なお、差し込み口部２８を天面板部２に設ける場合には、上記仕切り板９を天面板部２の内面から下方に降りるようにすればよく、さらに上記実施の例での押し付け片２７の構成を上下逆になるように、その押し付け片２７での上方の辺を折り部とし左右側方の辺及び下方の辺を切取部として、その三方の切取部を破断することで倒し込みができるようになるものであることが好ましい。
【図面の簡単な説明】
【００２５】
【図１】本発明に係る紙製包装容器の一例を示す説明図である。
【図２】陳列形態時での背面板部側を示す説明図である。
【図３】差し込み口部を開いた状態での底面板部側を示す説明図である。
【図４】仕切り板を縦断する断面方向で陳列形態時の一例を示す説明図である。
【図５】収納空間内の仕切り板を示す説明図である。
【図６】一例の箱体を展開した状態をブランクで示す説明図である。
【図７】押し付け片による押し込みと小袋クズの差し込みを示す説明図である。
【図８】他の一例を示す説明図である。
【図９】他の一例の箱体を展開した状態をブランクで示す説明図である。
【図１０】更に他の例における仕切り板が側面板部に連接されている例を示す説明図である。
【符号の説明】
【００２６】
１…紙製包装容器
２…天面板部
３…底面板部
４…正面板部
５…背面板部
６…側面板部
７…箱体
８…収納空間
９…仕切り板
１０…小物品入り小袋
１１…糊代片
１３…内天面板
１４…外天面板
１６…内底面板
１７…外底面板
２０…小袋収納領域
２１…小袋クズ収納領域
２２…取り出し口部
２３…開口部分
２４…閉鎖部材
２７…押し付け片
２８…差し込み口部
２９…差し込み口部の開口
３０…閉鎖板
３１…小袋クズ
３４…仕切り片形成板
３５…貼着部
３６…仕切り部
３７…支持板
３８…折り部
３９…切取部
【図１】
0005029213.tif 000002
【図２】
0005029213.tif 000003
【図３】
0005029213.tif 000004
【図４】
0005029213.tif 000005
【図５】
0005029213.tif 000006
【図６】
0005029213.tif 000007
【図７】
0005029213.tif 000008
【図８】
0005029213.tif 000009
【図９】
0005029213.tif 000010
【図１０】
0005029213.tif 000011